(57)【要約】【課題】　側面照明式液晶モジュールの組立作業性を高めることを目的とする【解決手段】　液晶セル１の裏面に配置された導光板２と、導光板２の裏面に配置された反射シート２２と、導光板２の側面に近接して配置された線状の光源３と、光源３を支持すると共に電気的に接続した配線基板５と、導光板２と反射シート２２と光源３と配線基板５を固定収納する枠体６とを備えた液晶モジュールとすることで、配線基板などの取り扱いが容易となり、組立作業性を高めることができる。。【選択図】　　図１
2004078239.tif 000002
【特許請求の範囲】
【請求項１】
　液晶セルと、該液晶セルの裏面に配置された導光板と、該導光板の裏面に配置された反射シートと、前記導光板の側面に近接して配置された光源と、該光源を支持すると共に電気的に接続した配線基板と、前記導光板と前記反射シートと前記光源と前記配線基板を固定収納する枠体とを備えたことを特徴とする液晶モジュール。
【請求項２】
　前記反射シートと前記配線基板とは、重合配置されていることを特徴とする請求項１記載の液晶モジュール。
【請求項３】
　前記導光板と反射シートと前記配線基板とは、重合配置されていることを特徴とする請求項１記載の液晶モジュール。
【発明の詳細な説明】
【技術分野】
【０００１】
　本発明は液晶セルと背面照明手段を有したいわゆる液晶モジュールに関する。
【背景技術】
【０００２】
　従来よりいわゆる液晶モジュールにおいては、特許文献１に示されるように、液晶セルを周辺の駆動回路や背面の照明手段とともに金属枠に収納して、取扱い易くしていた。このような液晶モジュールにおいては、背面の照明手段として、液晶セルの直下に光源を配置するのではなく、液晶セルの背面に導光板を配置し、その導光板の側面に光源を配置する、いわゆる側面照明式の照明手段が、モジュールを薄く構成できるので好ましいものである。　　　
【特許文献１】特開平４−７５１９号公報
【発明の開示】
【発明が解決しようとする課題】
【０００３】
　ところがこのような側面照明式の照明手段を有した液晶モジュールにおいては、線状光源の接続を２本のリード線を用いて行っており、その取り扱いが不便であり組立て作業性が悪いものであった。
【課題を解決するための手段】
【０００４】
　前記課題を解決するため、本発明は、液晶セルと、該液晶セルの裏面に配置された導光板と、該導光板の裏面に配置された反射シートと、前記導光板の側面に近接して配置された光源と、該光源を支持すると共に電気的に接続した配線基板と、前記導光板と前記反射シートと前記光源と前記配線基板を固定収納する枠体とを備えたことを特徴とする液晶モジュールである。
【０００５】
　また本発明は、前記反射シートと前記配線基板とは、重合配置されていることを特徴とする液晶モジュールである。また本発明は、前記導光板と反射シートと前記配線基板とは、重合配置されていることを特徴とする液晶モジュールである。
【発明の効果】
【０００６】
　本発明は上記構成により、従来の液晶モジュールに比べ組立て作業性を高めることができる。また薄型により適した液晶モジュールとすることができる。さらには光源の熱を均等に伝えることができ、液晶セルの熱影響に伴うコントラストの低下や色呈変化、あるいは白色化を抑えて表示品位を高めることができる。
【発明を実施するための最良の形態】
【０００７】
　図１は本発明実施例の液晶モジュールの要部断面図、図２は光源部分の要部側面図である。１は、２枚の基板１１の間に液晶分子が９０〜２７０度にツイストした構造を持つネマティック液晶が充填され、前後に偏光板１２を有した、液晶セルである。この液晶セル１は必要に応じて液晶駆動用の駆動素子１３をその周辺に接続具備しているが、その駆動素子１３は例えば箔状電極を有する樹脂フィルムに支持されたいわゆるＴＡＢと呼ばれるものを例示しているものの、ベアチップを液晶セル基板若しくは駆動回路基板１４に直接接続固着してもよく、いずれも液晶を駆動するために液晶セル１の周辺部の端子に接続され、共通端子や電源などは駆動素子を支持する駆動回路基板１４に接続すればよい。液晶セル１はこのほか強誘電液晶セルなどが利用できる。
【０００８】
２は、液晶セル１の裏面に配置された導光板で、必要に応じて表面には光拡散シート２１が設けられ、また裏面には反射シート２２を有している。導光板２は例えばアクリル樹脂平板のような光透過特性の優れた平板が、１枚又は複数枚積層して利用され、その裏面には光を拡散させるとともに均一照明させるための斑点状印刷塗料や凹凸が適宜設けられているのが好ましい。反射シート２２は非鏡面仕上げをされたアルミニウム箔や白紙などが用いられ、導光板２に貼付されていてもよいが、好ましくは導光板２裏面と反射シート２２の間にわずかばかりの空気層があって反射・拡散効率を高めるのがよく、このためには周辺部のみ導光板２に貼付されているのがよい。
【０００９】
３は、導光板２の側面に近接して配置された線状光源で、両端に電気絶縁性のある支持部材３１を有する螢光灯や冷陰極管からなり、必要に応じて導光板２の対向する２辺に配置されるが、多くの場合は１本でよい。この線状光源３は、好ましくは反射シート３２で非接触に包囲するのがよい。この反射シート３２は、厚さが０．１ｍｍ前後で熱伝導性がよい銀蒸着フィルムやアルミニウム箔などからなり、一端を後述する枠体６に接着し、他端を線状光源３と後述する配線基板５の間を通過させて導光板２の裏面に延設し、線状光源３の光を効率よく導光板２に導くように構成されている。
【００１０】
４は導光板２の裏面に線状光源３と接触しないように配置された熱伝導性のよい金属板で、厚さ０．０１〜１．０ｍｍのアルミニウム板や鉄板からなり、線状光源３に接触しないのはその熱を直接受けないようにしているからである。この金属板４の目的は、伝導された熱の均一拡散と、反射シート２２の押さえ、即ち輝度ムラの減少と、反射シート２２の保護であり、この目的のためには、少なくとも導光板２の裏面に配置されるとともに線状光源３を包囲する反射シート３２の一部分のみに近接若しくは当接するように設けることが好ましい。
【００１１】
５は、前記線状光源３の支持と電気的な配線を行うとともに、線状光源３から発生する熱を前記金属板４へ伝導する熱伝導路を構成するための配線基板で、前記線状光源３と同程度の長さと、線状光源３の直径の数倍の幅を有する大面積で、厚さ０．１〜１ｍｍの絶縁基板の表裏面に電気導電性並びに熱伝導性が良い銅箔などの金属箔５１，５２を互いに絶縁して形成している。この配線基板５の表面には、前記線状光源３から発生する熱の均一化と効率的な熱伝導を行うために、前記金属箔５１を広範囲、好ましくは略全面に形成し、その金属箔５１に密接するように前記線状光源３の支持部材３１を取り付けている。一方、配線基板５の裏面には、前記線状光源３に対する電気的な配線を行うための前記金属箔５２を広範囲、好ましくは略全面に形成し、その金属箔５２に前記線状光源３のリード線３３を半田等の電気導電性並びに熱伝導性が良い部材５３によって接続している。そしてこの配線基板５は、線状光源３が取り付けられている側と反対側の一端を金属板４の裏面下方に延設し、金属板４と熱的に結合するように反射シート３２を介在して金属板４の裏面に重合配置している。
【００１２】
このように線状光源３の両端支持部材３１を大面積の金属箔５１に密接するように取り付け、また、線状光源３のリード線３３を大面積の金属箔５２に接続することにより、中央に比べて両端の温度が高温になる線状光源３の温度分布を熱伝導性がよい金属箔によって均一化することができる。さらに、配線基板５は、大面積でありその絶縁基板の厚さが０．１〜１ｍｍ程度と薄いので、表裏の金属箔５１，５２と相まって熱伝導性を高めることができ、線状光源３から発生する熱を単独、好ましくは熱伝導性がよい反射シート３２と共同して外部に伝導することができる。また、線状光源３を配線基板５と一体化して組み立てることができるので、線状光源３の接続を２本のリード線を用いて行う従来のものに比べて、その取り扱いが容易となり組立て作業性を高めることができるとともに、板状の複数の部材を積層して薄型に構成する液晶モジュールに適した構造とすることができる。
【００１３】
６は、樹脂成形品からなる枠体で、導光板２や線状光源３、配線基板５を固定収納し、さらには液晶セル１を支持するものであり、耐熱・熱伝導性のある電気絶縁性材料からなる樹脂で構成するのが好ましい。線状光源３を固定した配線基板５の支持に当っては、配線基板５の裏面が枠体６に広範囲に接するように配慮している。また、液晶セル１の支持に当っては緩衝材６１などを利用してもよい。さらにまた、後述する金属枠７のみでこれらの構成部品を固定する場合にはこの枠体６は不要であり、あるいは液晶セル１と導光板２並びに線状光源３の側面照光型面照明手段をユニット化するためにのみこの枠体６を用いてもよい。
【００１４】
７は、これら液晶セル１や導光板２などを一体に収納する金属枠である。この
金属枠７は中央に液晶セル表面を観察させるための透孔を有し、枠体６に例えばビス止めして固定される。
【００１５】
一般に、線状光源３が点灯すると、まず線状光源３の両端が高温に加熱され、その熱が輻射し若しくは伝導して周囲を加熱することによって、線状光源３の両端が最も高温になり、次いで線状光源３の周囲が高温になることによって液晶セル１に温度分布のムラが生じるが、上記構成の液晶モジュールによれば、線状光源３の両端の熱は、支持部材３１を介して配線基板５の表側金属箔５１に伝導して均一化されるとともに、リード線３３を介して配線基板５の裏側金属箔５２に伝導して均一化される。また、線状光源３から輻射して周囲を加熱した熱は、熱伝導性がよく大面積の配線基板５並びに反射シート３２に吸収される。そしてこれらの熱は、配線基板５若しくは反射シート３２を熱伝導路として線状光源３の周囲空間の外に導出されて金属板４に伝導し、金属板４によって均一化された後、導光板２に均一に伝導するとともに、外部に放熱される。また、配線基板５は枠体６に広範囲に接しているので、配線基板５の熱を枠体６を介して外部に効率よく放熱することもできる。その結果、液晶セル１に加わる熱が均一化され、温度ムラに起因するコントラストや色呈の局部変化のない表示を行うことができ、表示品位を高めることができる。
【図面の簡単な説明】
【００１６】
【図１】本発明実施例の液晶モジュールの要部断面図である。
【図２】本発明実施例の線状光源付配線基板の要部側面図である。
【符号の説明】
【００１７】
１  液晶セル
２  導光板
３  線状光源
３１  支持部材
４  金属板
５  配線基板
５１  金属箔
５２  金属箔
６  枠体
【図１】
2004078239.tif 000003
【図２】
2004078239.tif 000004